【手続補正書】
【提出日】平成17年7月6日(2005.7.6)
【手続補正１】
【補正対象書類名】明細書
【補正対象項目名】全文
【補正方法】変更
【補正の内容】
【書類名】  明細書
【発明の名称】  レーザーポインタ付き機器の安全機構
【特許請求の範囲】
【請求項１】  レーザーポインタ機能とその他の機能とを併せ持つレーザーポインタ付き機器の安全機構であって、
レーザー光の照射を行うレーザー照射手段と、
ユーザーによって操作されてレーザー照射の指示を行うレーザー照射キーと、
上記その他の機能に含まれ且つレーザー照射の必要がない機能を実行させるための操作が行われた場合には、上記レーザー照射キーが操作されても、上記レーザー照射手段を動作させないようにするレーザー照射制御手段
を備えたことを特徴とするレーザーポインタ付き機器の安全機構。
【請求項２】  請求項１に記載のレーザーポインタ付き機器の安全機構において、
レーザー光の照射を許可する状態であるか否かを表す状態情報が記憶される記憶手段と、
上記その他の機能を制御すると共に、上記レーザー照射キーからの指示信号と上記記憶手段に記憶された状態情報とを監視し、上記レーザー照射キーから指示信号が出力され且つ上記状態情報がレーザー光の照射を許可する状態である場合には、上記レーザー照射手段を制御してレーザー照射を行わせる制御手段と
を備え、
上記制御手段は、現在実行している上記その他の機能がレーザー光を照射しないモードに入ると、上記記憶手段にレーザーの照射を許可しない状態であることを表す状態情報を記憶させるようになっていることを特徴とするレーザーポインタ付き機器の安全機構。
【請求項３】  請求項２に記載のレーザーポインタ付き機器の安全機構において、
上記その他の機能はタイマー機能であり、
上記レーザー光を照射しないモードはタイマー設定モードである
ことを特徴とするレーザーポインタ付き機器の安全機構。
【請求項４】  請求項１に記載のレーザーポインタ付き機器の安全機構において、
レーザー光の照射を許可する状態であるか否かを表す状態情報が記憶される記憶手段と、
上記その他の機能を制御すると共に、上記レーザー照射キーからの指示信号と上記記憶手段に記憶された状態情報とを監視し、上記レーザー照射キーから指示信号が出力され且つ上記状態情報がレーザー光の照射を許可する状態である場合には、上記レーザー照射手段を制御してレーザー照射を行わせる制御手段と、
ユーザーによって操作されて、上記その他の機能を実行するために操作される操作キーと
を備え、
上記制御手段は、上記その他の機能を実行するに際して、現在実行している機能とは全く関係のない無意味な操作キーが所定回数操作された場合には、上記記憶手段にレーザーの照射を許可しない状態であることを表す状態情報を記憶させるようになっていることを特徴とするレーザーポインタ付き機器の安全機構。
【請求項５】  請求項４に記載のレーザーポインタ付き機器の安全機構において、
上記記憶手段は上記所定回数をも記憶するようになっており、
上記記憶手段に記憶された上記所定回数は任意に設定可能になっていることを特徴とするレーザーポインタ付き機器の安全機構。
【発明の詳細な説明】
【０００１】
【発明の属する技術分野】
この発明は、レーザーポインタ機能とタイマー機能等の他の機能とを併せ持つレーザーポインタ付き機器におけるレーザーの誤照射を防止する安全機構に関する。
【０００２】
【従来の技術】
従来より、レーザービームによって表示資料の指示を行うレーザーポインタ機能を有する機器がある。このようなレーザーポインタ機能を有する機器は、キーから直接回路的にレーザー出力回路を駆動するようになっている。そして、このようなレーザーポインタ機能を有する機器の安全機構としては、以下のようなものがある。
【０００３】
実公平７‐４０９７６号公報においては、レーザー出力口に設けられたシャッターとレーザー照射キーとを連動させており、上記シャッターを開ける動作と上記レーザー照射キーの押圧の両方によって、上記開いたシャッターからレーザー光が照射されるようになっている。つまり、上記シャッターを開ける操作とレーザー照射キーを押圧する操作との両方が行われないとレーザー光が照射されないようになっている。
【０００４】
また、特開平１１‐３６２７７９号公報においては、レーザー発光装置が所定時間以上連続してレーザーを発光し続けると、レーザーを点滅させて警告を発するようになっている。
【０００５】
一方において、レーザー発光機能とタイマー機能とを併せ持つ機器がある。実案登録第３０３９４９２号においては、レーザー照射機能とタイマー機能を併せ持ち、タイマーの設定時間が経過するとバイブレーション機能で時間を知らせるようになっている。
【０００６】
【発明が解決しようとする課題】
しかしながら、上記従来のレーザーポインタ機能を有する機器の安全装置においては、以下のような問題がある。
【０００７】
すなわち、上記実公平７‐４０９７６号公報においては、レーザー照射キーに工夫を凝らして、操作者の誤った操作によってレーザーが誤照射されないようにしている。さらに、上記特開平１１‐３６２７７９号公報においては、所定時間以上連続してレーザーが発光した場合に異常状態を知らせるようにしている。この両者は、何れもレーザー照射機能単体での安全機構であり、併せ持つ他の機能との拘わりにおいてレーザーの誤照射を防止することはできない。
【０００８】
また、上記実案登録第３０３９４９２号においては、レーザー発光機能とタイマー機能を併せ持ってはいるが、上述の場合と同様に、タイマー機能との拘わりにおいてレーザーの誤照射を防止することはできない。
【０００９】
例えば、上記実案登録第３０３９４９２号のごとく、講演中に使用するレーザーポインタ機能と講演の経過時間を知らせるタイマー機能を併せ持つ機器に関して、タイマーへの時間設定が行われている最中にレーザー照射キーが押下されたとすると、これは使用者がタイマー設定操作中に誤ってレーザー照射キーを押下した可能性が高い。
【００１０】
また、子供のいたずら等のように無意味な操作によって、レーザー照射キーが誤って押下される場合も考えられる。
【００１１】
レーザー光は人間の目に入ると危険である為、レーザー照射キーが誤って押下された場合にはレーザーを照射しないことが必要である。しかしながら、上記従来のレーザーポインタ機能とタイマー機能を併せ持つ機器においては、タイマー機能等の他機能に対する操作状態からレーザーポインタ機能が動作すべき状態か否かを判断して、レーザー照射を制御することはできない。また、無意味な操作か否かからレーザーポインタ機能が動作すべき状態か否かを判断して、レーザー照射を制御することもできない。
【００１２】
そして、上述のような誤動作防止は、レーザー照射機能制御手段と他機能制御手段とが独立して設けられている場合であっても、レーザー照射機能制御手段と他機能制御手段とが電気的に完全に独立して設けられている場合であっても機能することが必要である。
【００１３】
そこで、この発明の目的は、レーザーポインタ機能以外の機能の操作状態や無意味な操作に基づいてレーザー発光動作を制御できるレーザーポインタ機能付機器の安全機構を提供することにある。また、レーザー照射機能制御手段と他機能制御手段とが独立して設けられた場合や電気的に完全に独立して設けられた場合でも機能することができるレーザーポインタ機能付機器の安全機構を提供することにある。
【００１４】
【課題を解決するための手段】
上記目的を達成するために、この発明のレーザーポインタ付き機器の安全機構は、レーザーポインタ機能以外の機能であって且つレーザー照射の必要がない機能を実行させるための操作が行われると、レーザー照射制御手段によって、レーザー照射キーが操作されてもレーザー照射手段が動作しないようにされる。したがって、操作者が、例えばタイマー設定している最中にレーザー照射する必要はないが、タイマー設定キーを操作している最中に誤って操作者がレーザー照射キーを押下しても、上記レーザー照射手段が動作してレーザー光が照射されることはないのである。
【００１５】
また、１実施例のレーザーポインタ付き機器の安全機構では、上記レーザーポインタ機能以外のその他の機能を制御すると共に、上記レーザー照射キーからの指示信号と記憶手段に記憶された状態情報とを監視して、上記レーザー照射キーから指示信号が出力され且つ上記状態情報がレーザーの照射を許可する状態である場合には、レーザー照射手段を制御してレーザー照射を行う制御手段を備え、この制御手段を、現在実行している上記その他の機能がレーザー光を照射しないモードに入ると、上記記憶手段にレーザーの照射を許可しない状態であることを表す状態情報を記憶させるように成している。したがって、上記その他の機能がレーザー光を照射しないモード中である場合に、操作者が誤ってレーザー照射キーを押下しても、レーザー光が出射されることはないのである。
【００１６】
また、１実施例のレーザーポインタ付き機器の安全機構では、上記その他の機能をタイマー機能とし、上記レーザー光を照射しないモードはタイマー設定モードとしている。したがって、上記タイマー機能のタイマー設定モードが実行されている際に、操作者が誤ってレーザー照射キーを押下しても、レーザー光が出射されることはないのである。
【００１７】
また、１実施例のレーザーポインタ付き機器の安全機構では、上記レーザーポインタ機能以外のその他の機能を制御すると共に、上記レーザー照射キーからの指示信号と記憶手段に記憶された状態情報とを監視して、上記レーザー照射キーから指示信号が出力され且つ上記状態情報がレーザーの照射を許可する状態である場合には、レーザー照射手段を制御してレーザー照射を行う制御手段を備え、この制御手段を、上記その他の機能を実行している際に、全く関係のない無意味な操作キーが所定回数操作された場合には、上記記憶手段にレーザーの照射を許可しない状態であることを表す状態情報を記憶させるように成している。したがって、子供等が悪戯して上記操作キーをいじくり回している場合にレーザー照射キーが押下されても、レーザー光が出射されることはないのである。
【００１８】
また、１実施例のレーザーポインタ付き機器の安全機構では、上記記憶手段を上記所定回数も記憶するように成し、上記記憶手段に記憶された上記所定回数を任意に設定可能に成している。したがって、使用環境に応じて上記所定回数を適宜変更して、より安全性が高められる。
【００１９】
【発明の実施の形態】
以下、この発明を図示の実施の形態により詳細に説明する。
【００２０】
＜第１実施の形態＞
図１は、本実施の形態の安全機構が搭載されたレーザーポインタ付機器の一例としての電子機器１におけるブロック図を示す。電子機器１は、表示器２とキーボード３とレーザー出力回路４を有している。表示器２は、例えば、ＬＣＤ(液晶ディスプレイ)およびその駆動回路や、ＬＥＤ(発光ダイオード)およびその駆動回路等から成り、各種の状態表示に使用される。キーボード３は、レーザー照射キー５および電源オン・オフキーやタイマー設定キーやタイマー実行キー等のその他の機能の操作に使用されるキーが搭載されており、これらのキーはユーザーによって操作される。尚、レーザー照射キー５はレーザー光を照射させるためのキーであり、押下されるとレーザー光が照射される。レーザー出力回路４は、ＣＰＵ(中央演算処理装置)６からのレーザー照射指令信号を受けた場合にレーザーを出力する。
【００２１】
上記ＣＰＵ６は、操作されたキーの読み込み処理やレーザー出力回路４の制御処理や表示器２の制御処理やタイマー設定・実行処理等の電子機器１が有する機能を実行するための制御を行う。
【００２２】
７はＲＯＭ(リード・オンリ・メモリ)であり、上記ＣＰＵ６が上述した制御を実行するためのプログラムや表示用のＣＧ(コンピュータグラフィックス)データ等が格納されている。
【００２３】
８はＲＡＭ(ランダム・アクセス・メモリ)であり、上記ＣＰＵ６が上述した制御を実行する際に参照するフラグおよびワークエリア等が格納されている。尚、以下においては、本実施の形態の説明に必要な項目のみを説明する。レーザー状態フラグ９は、「１」が書き込まれている場合にはレーザー照射が許可される一方、「０」が書き込まれている場合にはレーザー照射が許可されない。したがって、レーザー照射キー５が押下されてもレーザーは出力されないのである。レーザー制御カウンタ１０は、無意味なキー操作の回数をカウントし、カウント値を保持しておく。カウンタ初期値ワーク１１には、電源オン時にレーザー制御カウンタ１０を初期化するための値が記憶されている。
【００２４】
レーザーポインタ機能と講演の経過時間を知らせるタイマー機能等の他の機能とを併せ持つ電子機器１においては、使用者がタイマー設定操作中に誤ってレーザー照射キー５を押下してしまう場合がある。また、子供のいたずら等による無意味な操作によって、レーザー照射キー５が誤って押下される場合もある。そこで、本実施の形態においては、以上のような全く予期せぬ誤動作によるレーザー照射を、以下のようにして直ちに止めるようにしている。以下、順次詳細に説明する。
【００２５】
図２は、上記ＣＰＵ６によって実行されるレーザー照射処理動作のフローチャートを示す。このレーザー照射処理動作では、レーザー照射キー５の押下によってスタートして、レーザー状態フラグ９の内容に応じてレーザー照射が制御される。
【００２６】
ステップＳ1で、上記ＲＡＭ８におけるレーザー状態フラグ９の内容が読み出される。ステップＳ2で、読み出された値が「１」であるか否かが判別される。その結果、「１」であればレーザー照射が許可されているのでステップＳ3に進む。一方、「０」であればレーザー照射が許可されていないのでレーザー照射処理動作を終了する。ステップＳ3で、レーザー出力回路４にレーザー照射指令信号が出力されて、レーザー照射が行われる。そうした後に、レーザー照射処理動作を終了する。
【００２７】
このように、本実施の形態においては、上記ＲＡＭ８におけるレーザー状態フラグ９の内容が「１」である場合にのみレーザー照射を行うようにしている。したがって、レーザーを照射する必要のない場合には自動的にレーザー状態フラグ９に「０」が書き込まれるようにすれば、使用者がタイマー設定操作中に誤ってレーザー照射キー５を押下しても、子供がレーザー照射キー５を押下しても、レーザーの誤照射を未然に防止することができるのである。
【００２８】
そこで、本実施の形態においては、上記ＣＰＵ６による制御の下に、レーザーポインタ機能以外の機能の状態等に応じて、自動的にレーザー状態フラグ９の内容を設定するようにするのである。以下、レーザー状態フラグ９の内容を自動的に設定するレーザー状態フラグ設定処理動作について説明する。
【００２９】
先ず、上記レーザー照射キー５以外のキーが押下された場合に、押下キーに応じた動作を行った次にレーザー照射キー５が押下される状態があり得るかを判断して、自動的にレーザー状態フラグ９の内容を設定する第１のレーザー状態フラグ設定機能について説明する。
【００３０】
図３は、上記第１レーザー状態フラグ設定処理動作のフローチャートを示す。キーボード３におけるレーザー照射キー５以外のキーが押下されると第１レーザー状態フラグ設定処理動作がスタートされる。
【００３１】
ステップＳ11で、押下されたキーに応じた処理が実行される。尚、本ステップにおいて実行される処理の内容は、この発明とは直接関係が無いので詳細な説明は省略する。ステップＳ12で、上記押下されたキーの次にレーザー照射キー５が押下されることがあり得るか否かが判別される。その結果、あり得ればステップＳ13に進み、あり得なければステップＳ14に進む。
【００３２】
例えば、操作者が講演用タイマーを設定している場合は、講演前の準備中であってレーザーを照射することはあり得ない。したがって、当該押下キーが「タイマー設定用のキー」の場合には、次にレーザー照射キー５が押下されることがあり得ないと判断されてステップＳ14に進むのである。また、講演用タイマーが作動中である場合は、講演中であるためレーザーを照射することがあり得る。したがって、当該押下キーが「タイマー動作中に押されるキー」の場合には、次にレーザー照射キー５が押下されることがあり得ると判断されてステップＳ13に進むのである。
【００３３】
ステップＳ13で、レーザー照射を許可する必要があるために、レーザー状態フラグ９に「１」が格納される。そうした後、第１レーザー状態フラグ設定処理動作を終了する。ステップＳ14で、レーザー照射を許可しないようにするため、レーザー状態フラグ９に「０」が格納される。そうした後、第１レーザー状態フラグ設定処理動作を終了する。
【００３４】
このように、本実施の形態においては、押下されたレーザー照射キー５以外のキーに応じた処理を実行した後、当該キーの次にレーザー照射キー５が押下されることがあり得る場合には、レーザー状態フラグ９に「１」を格納して、レーザー照射を許可するようにしている。したがって、次にレーザー照射キー５が押下された場合には、速やかにレーザー照射が行われる。これに対して、当該キーの次にレーザー照射キー５が押下されることがあり得ない場合には、レーザー状態フラグ９に「０」を格納して、レーザー照射を許可しないようにしている。したがって、次に誤ってレーザー照射キー５が押下された場合でも、レーザーは照射されない。
【００３５】
すなわち、図３に示すレーザー状態フラグ設定処理を、上記キーボード３におけるレーザー照射キー５以外の総てのキーが押下される毎に実行することによって、使用者がタイマー設定操作中に誤ってレーザー照射キー５を押下した場合等にも確実にレーザー照射を停止することができるのである。
【００３６】
次に、レーザーの出力を禁止するレーザー禁止モードに入るキーが押下された場合に、自動的にレーザー状態フラグ９の内容を設定する第２のレーザー状態フラグ設定機能について説明する。
【００３７】
図４は、上記第２レーザー状態フラグ設定処理動作のフローチャートを示す。レーザー禁止モードに入るキーが押下されると第２レーザー状態フラグ設定処理動作がスタートされる。例えば、タイマー設定モードの場合には講演前の準備中であって、レーザーを照射することはあり得ない。したがって、「タイマー設定モードに入るキー(例えば「タイマー設定キー」等)」が上記レーザー禁止モードに入るキーとなる。
【００３８】
ステップＳ21で、押下されたキーに応じた処理が実行される。尚、本ステップにおいて実行される処理の内容は、この発明とは直接関係が無いので詳細な説明は省略する。ステップＳ22で、レーザー禁止モード(タイマー設定モード)から抜け出る迄にレーザー照射を許可しないようにするため、レーザー状態フラグ９に「０」が格納される。そうした後、第２レーザー状態フラグ設定処理動作を終了する。
【００３９】
このように、本実施の形態においては、レーザー禁止モードに入るキーが押下されると、押下されたキーに応じた処理を実行した後、レーザー状態フラグ９に「０」を格納して、レーザー照射を許可しないようにしている。したがって、レーザー禁止モードの最中に誤ってレーザー照射キー５が押下された場合には、レーザーが照射されることはない。
【００４０】
したがって、図４に示すレーザー状態フラグ設定処理を、総てのレーザー禁止モードに入るキーが押下される毎に実行することによって、使用者がタイマー設定操作中に誤ってレーザー照射キー５を押下した場合でも確実にレーザー照射を停止することができるのである。
【００４１】
次に、レーザーの出力を禁止するレーザー禁止モードから抜け出るキーが押下された場合に、自動的にレーザー状態フラグ９の内容を設定する第３のレーザー状態フラグ設定機能について説明する。
【００４２】
図５は、上記第３レーザー状態フラグ設定処理動作のフローチャートを示す。レーザー禁止モードから抜け出るキーが押下されると第３レーザー状態フラグ設定処理動作がスタートされる。例えば、上記タイマー設定モードが終了した後はレーザーを照射することがあり得る。したがって、「タイマー設定モードを抜け出るキー(例えば「タイマー実行キー」等)」が上記レーザー禁止モードを抜け出るキーとなる。
【００４３】
ステップＳ31で、押下されたキーに応じた処理が実行される。尚、本ステップにおいて実行される処理の内容は、この発明とは直接関係が無いので詳細な説明は省略する。ステップＳ32で、レーザー禁止モード(タイマー設定モード)から抜け出たのでレーザー照射を許可するため、レーザー状態フラグ９に「１」が格納される。そうした後、第３レーザー状態フラグ設定処理動作を終了する。
【００４４】
このように、本実施の形態においては、レーザー禁止モードを抜け出るキーが押下されると、押下されたキーに応じた処理を実行した後、レーザー状態フラグ９に「１」を格納して、レーザー照射を許可するようにしている。したがって、次にレーザー照射キー５が押下された場合には、速やかにレーザーを照射することができる。
【００４５】
すなわち、本実施の形態においては、上記キーボード３に搭載されたレーザー照射キー５以外のキーのうち、レーザー禁止モード(タイマー設定モード)に入るキーが押下された場合には、第２レーザー状態フラグ設定処理動作を実行する。また、レーザー禁止モード(タイマー設定モード)から抜け出るキーが押下された場合には、第３レーザー状態フラグ設定処理動作を実行する。また、それ以外のキーが押下された場合には、レーザー状態フラグ設定処理動作を行わないのである。
【００４６】
次に、上記レーザー照射キー５以外のキーであって、動作を伴わないような無意味なキーが押下された場合に、自動的にレーザー状態フラグ９の内容を設定する第４のレーザー状態フラグ設定機能について説明する。
【００４７】
図６は、上記第４レーザー状態フラグ設定処理動作のフローチャートを示す。上記無意味なキーが押下されると第４レーザー状態フラグ設定処理動作がスタートされる。例えば、上記タイマーが作動している最中にタイマー設定キーが押下された場合や、タイマー設定中にタイマー実行キーが押下された場合には、通常何も動作しない(つまり、タイマー作動やタイマー設定等の現在の状態が維持される)ようになっている。そこで、上述のような何も動作が伴わない無意味キーが所定の回数押下された場合には、子供等のいたずらである可能性が高いと判断して、第４レーザー状態フラグ設定処理動作を実行するのである。
【００４８】
ステップＳ41で、押下されたキーは、上記動作を伴わない無意味なキーであるか否かが判別される。その結果、無味なキーであればステップＳ43に進み、そうでなければステップＳ42に進む。ステップＳ42で、押下されたキーに応じた処理が実行される。尚、本ステップにおいて実行される処理の内容は、この発明とは直接関係が無いので詳細な説明は省略する。そうした後に、第４レーザー状態フラグ設定処理動作を終了する。
【００４９】
ステップＳ43で、上記ＲＡＭ８におけるレーザー制御カウンタ１０の保持値が「１」だけ減算される。ステップＳ44で、レーザー制御カウンタ１０の値が「０」であるか否かが判別される。その結果、「０」であれば無意味なキーの押下が所定回数繰り返されたので悪戯である可能性が高いと判断されてステップＳ45に進む。一方、「０」でなければ第４レーザー状態フラグ設定処理動作を終了する。ステップＳ45で、電源がオフされる迄にレーザー照射を許可しないようにするため、レーザー状態フラグ９に「０」が格納される。そうした後、第４レーザー状態フラグ設定処理動作を終了する。
【００５０】
このように、本実施の形態においては、上記動作を伴わない無意味なキーがレーザー制御カウンタ１０に予め設定されている回数だけ押下されると、電源がオフされる迄にレーザー照射を許可しないようにするため、レーザー状態フラグ９に「０」を格納するようにしている。したがって、次にレーザー照射キー５が押下されても、レーザーが照射されないようにすることができる。
【００５１】
したがって、子供が悪戯して上記キーボード３のキーをいじくりまわしている場合に、偶然レーザー照射キー５が押下されてレーザー照射が行われることが未然に防止される。
【００５２】
次に、電源オンキーが押下された場合に、自動的にレーザー状態フラグ９およびレーザー制御カウンタ１０の内容に初期値を設定する電源オン処理動作について説明する。
【００５３】
図７は、上記電源オン処理動作のフローチャートを示す。キーボード３に搭載されている電源オンキー(図示せず)が押下されると電源オン処理動作がスタートするのである。
【００５４】
ステップＳ51で、押下された電源オンキーに応じて電源オン処理が行われる。尚、本ステップにおいて実行される処理の内容は、この発明とは直接関係が無いので詳細な説明は省略する。ステップＳ52で、電源がオフされる迄にレーザー照射を許可しない状態になっている場合でも再度レーザー照射が可能な状態に戻すために、レーザー状態フラグ９に「１」が格納される。ステップＳ53で、上述した無意味なキーの押下回数をカウントするため、レーザー制御カウンタ１０にカウンタ初期値ワーク１１に記憶されている値が書き込まれて初期化される。そうした後に、電源オン処理動作を終了する。
【００５５】
このように、本実施の形態においては、上記電源オンキーが押下されると、電源オンの処理が行われた後に、レーザー状態フラグ９に「１」を格納すると共に、レーザー制御カウンタ１０が初期化される。したがって、図６に示す第４レーザー状態フラグ設定処理動作のステップＳ45において電源がオフされる迄にレーザー照射が非許可状態になった場合に、その非許可状態が解除されるのである。
【００５６】
次に、リセットキーが押下された場合に、自動的にカウンタ初期化ワーク１１およびレーザー制御カウンタ１０の内容に初期値を設定するリセット処理動作について説明する。
【００５７】
図８は、上記リセット処理動作のフローチャートを示す。キーボード３に搭載されているリセットキー(図示せず)が押下されるとリセット処理動作がスタートする。
【００５８】
ステップＳ61で、押下されたリセットキーに応じてリセット処理が行われる。尚、本ステップにおいて実行される処理の内容は、この発明とは直接関係が無いので詳細な説明は省略する。ステップＳ62で、ＲＡＭ８のカウンタ初期化ワーク１１に無意味なキーの押下回数の初期値がセットされる。ステップＳ63で、レーザー制御カウンタ１０にも同一の無意味なキーの押下回数の初期値がセットされる。そうした後、リセット処理動作を終了する。
【００５９】
このように、本実施の形態においては、上記リセットキーが押下されると、リセット処理が行われた後に、レーザー制御カウンタ１０およびカウンタ初期化ワーク１１に、同一の無意味なキーの押下回数の予め設定された初期値がセットされる。こうして、リセット時の初期化が正しく行われる。
【００６０】
次に、カウンタ初期値設定モードキーが押下された場合に、自動的にカウンタ初期化ワーク１１の値を設定するカウンタ初期値設定モードへ移行するカウンタ初期値設定モード移行処理動作について説明する。
【００６１】
図９は、カウンタ初期値設定モード移行処理動作のフローチャートを示す。キーボード３に搭載されているカウンタ初期値設定モードキー(図示せず)が押下されるとカウンタ初期値設定モード移行処理動作がスタートする。
【００６２】
ステップＳ71で、上記ＲＡＭ８におけるカウンタ初期化ワーク１１に格納されている値が表示器２に送出されて表示される。ステップＳ72で、表示器２にシンボル等が表示されて、カウンタ初期値設定モードに入ったことが告知される。そうした後、カウンタ初期値設定モード移行処理動作を終了する。
【００６３】
こうして、上記カウンタ初期値設定モードに入ると表示器２に表示されているカウンタ初期化ワーク１１の格納値が変更可能になるのである。すなわち、操作者は、表示器２に表示されている値を確認する。そして、カウンタ初期化ワーク１１の格納値(つまり、無意味なキーの押下回数の初期値)を変更する場合には、数値入力機能を用いて現在表示されている値を変更するのである。
【００６４】
次に、カウンタ初期値設定キーが押下された場合に、カウンタ初期化ワーク１１に操作者による指定値を設定するカウンタ初期値設定処理動作について説明する。
【００６５】
図１０は、カウンタ初期値設定処理動作のフローチャートを示す。キーボード３に搭載されているカウンタ初期値設定キー(図示せず)が押下されるとカウンタ初期値設定処理動作がスタートする。
【００６６】
ステップＳ81で、表示器２に表示されている表示値が、カウンタ初期化ワーク１１に格納される。したがって、上記表示値が操作者によって変更されている場合には、その操作者によって指定された値がカウンタ初期化ワーク１１に格納される。ステップＳ82で、レーザー制御カウンタ１０の内容がカウンタ初期化ワーク１１の格納値で初期化される。こうして、無意味なキーの押下回数の初期値が操作者によって設定されるのである。ステップＳ83で、カウンタ初期値設定モードに入ったことを告知するために表示器２に表示されているシンボル等がクリアされる。そうした後、カウンタ初期値設定処理動作を終了する。
【００６７】
こうして、上記レーザー制御カウンタ１０の内容が操作者によって任意に設定される。
【００６８】
以上のごとく、本実施の形態においては、総てのキーの何れかが押下された場合に、当該押下キーの次にレーザー照射キー５の押下があり得る場合にはレーザー状態フラグ９に「１」を格納し、あり得ない場合にはレーザー状態フラグ９に「０」を格納する。
【００６９】
また、別の方法として、レーザー照射キー５以外のキーが押下された場合、レーザー禁止モード(タイマー設定モード)に入るキーが押下された場合は、レーザー状態フラグ９に「０」を格納してレーザー照射を許可しないようにする。また、レーザー禁止モード(タイマー設定モード)から抜け出るキーが押下された場合には、レーザー状態フラグ９に「１」を格納してレーザー照射を許可する。
【００７０】
そして、上記レーザー照射キー５が押下された場合には、ＣＰＵ６によって、レーザー状態フラグ９に「１」が格納されている場合のみレーザー出力回路４にレーザー照射指令信号が出力されて、レーザー照射が行われるようになっている。
【００７１】
したがって、レーザー照射機能(レーザーポインタ機能)以外の機能の操作状態に基づいて、レーザー照射動作を制御することができる。その結果、使用者が、レーザーの照射を必要とはしない操作を行っている際に、誤ってレーザー照射キー５を押下してしまってもレーザーが照射されることはない。
【００７２】
また、本実施の形態においては、上記ＲＡＭ８にレーザー制御カウンタ１０を設けている。そして、例えば、タイマー作動中のタイマー設定キー押下や、タイマー設定中のタイマー実行キー押下のように、動作を伴わない無意味なキーがレーザー制御カウンタ１０に格納されている回数だけ押下された場合には、悪戯である可能性が高いと判断して、レーザー状態フラグ９に「０」を格納するようにしている。
【００７３】
したがって、子供等のいたずらの最中に、偶然レーザー照射キー５が押下されてしまった場合のレーザー照射を防止することができるのである。
【００７４】
その際に、上記レーザー制御カウンタ１０の格納値は、操作者が変更可能になている。したがって、使用環境に応じて無意味なキーの押下回数の初期値を設定することができ、より安全性を高めることができる。
【００７５】
尚、上記実施の形態においては、図２によるレーザー照射処理動作、図３〜図６によるレーザー状態フラグ設定処理動作、図７による電源オン処理動作、図８によるリセット処理動作、図９によるカウンタ初期値設定モード移行処理動作、および、図１０によるカウンタ初期値設定処理動作を、個別に説明している。しかしながら、実際には、キーボード３のキーが押下された場合に何れのキーが押下されたのかを判別するステップを設け、その判別結果に応じて該当する処理動作のフローチャートに分岐するようになっていることは言うまでもない。
【００７６】
＜第２実施の形態＞
本実施の形態は、レーザー照射機能制御手段と他機能制御手段とが独立して設けられているレーザーポインタ付機器に関する。
【００７７】
図１１は、上記レーザーポインタ付機器の一例としての電子機器２１におけるブロック図である。図１１における表示器２２,レーザー出力回路２４,ＲＯＭ２８,ＲＡＭ２９,レーザー状態フラグ３０,レーザー制御カウンタ３１およびカウンタ初期値ワーク３２は、図１に示す電子機器１における表示器２,レーザー出力回路４,ＲＯＭ７,ＲＡＭ８,レーザー状態フラグ９,レーザー制御カウンタ１０およびカウンタ初期値ワーク１１と同一であり、詳細な説明は省略する。
【００７８】
本実施の形態におけるレーザー照射キー２５はキーボード２３とは独立して設けられており、ＡＮＤ回路２６を介してＣＰＵ２７とレーザー出力回路２４とに接続されている。こうして、レーザー照射キー２５をキーボード２３と独立して設けることによって、ＣＰＵ２７を介さずにレーザー出力回路２４を制御するようになっている。
【００７９】
上記ＣＰＵ２７は、操作されたキーの読み込み処理,表示器２２の制御処理,タイマー設定・実行処理等の制御を行うが、レーザー出力回路２４の制御処理は行なわないようになっている。すなわち、図１におけるＣＰＵ６は、図２に示すレーザー照射処理動作によって、レーザ照射キー５の押下があり且つレーザー状態フラグ９の内容が「１」である場合にレーザー出力回路４に対してレーザー照射指令信号を出力してレーザーを照射させる。これに対して、ＣＰＵ２７は、図２に相当するレーザー照射処理動作は行わない。そして、レーザー状態フラグ３０の内容を監視し、「１」になるとレーザー照射を許可するレーザー照射許可信号をＡＮＤ回路２６に出力する一方、「０」になるとレーザー照射許可信号の出力を停止するのである。
【００８０】
そうすると、上記ＡＮＤ回路２６は、上記ＣＰＵ２７から上記レーザー照射許可信号が出力され、且つ、レーザー照射キー２５から押下信号が出力された場合に、レーザー出力回路２４に対してレーザー照射指令信号を出力してレーザーを照射させるのである。
【００８１】
但し、上記ＣＰＵ２７は、図３〜図６に相当するレーザー状態フラグ設定処理動作、図７に相当する電源オン処理動作、図８に相当するリセット処理動作、図９に相当するカウンタ初期値設定モード移行処理動作、および、図１０に相当するカウンタ初期値設定処理動作は、上記第１実施の形態の場合と同様に実行するようになっている。
【００８２】
以上のごとく、本実施の形態においては、上記レーザー照射キー２５をキーボード２３とは独立して設け、ＡＮＤ回路２６を介してＣＰＵ２７とレーザー出力回路２４とに接続している。そして、ＣＰＵ２７は、レーザー状態フラグ３０の内容が「１」になるとレーザー照射を許可するレーザー照射許可信号をＡＮＤ回路２６に出力し、ＡＮＤ回路２６は、ＣＰＵ２７から上記レーザー照射許可信号が出力され、且つ、レーザー照射キー２５から押下信号が出力された場合に、レーザー出力回路２４に対してレーザー照射指令信号を出力するようにしている。
【００８３】
したがって、レーザー照射機能制御手段と他機能制御手段とが独立して設けられているレーザーポインタ付機器の場合でも、レーザー照射機能(レーザーポインタ機能)以外の機能の操作状態に基づいて、レーザー照射動作を制御することができる。その結果、使用者が、レーザーの照射を必要とはしない操作を行っている際に、誤ってレーザー照射キー２５を押下してしまってもレーザーが照射されることはない。
【００８４】
また、動作を伴わない無意味なキーがレーザー制御カウンタ３１に格納されている回数だけ押下された場合には、悪戯である可能性が高いと判断して、レーザー状態フラグ３０に「０」を格納するようにしている。したがって、子供等のいたずらの最中に、偶然レーザー照射キー２５が押下されてしまった場合のレーザー照射を防止することができるのである。
【００８５】
＜第３実施の形態＞
本実施の形態は、レーザー照射機能制御手段と他機能制御手段とが電気的に完全に独立して設けられているレーザーポインタ付機器に関する。
【００８６】
図１２は、上記レーザーポインタ付機器の一例としての電子機器４１におけるブロック図である。図１２における表示器４２,レーザー出力回路４４,ＲＯＭ４８,ＲＡＭ４９,レーザー状態フラグ５０,レーザー制御カウンタ５１およびカウンタ初期値ワーク５２は、図１に示す電子機器１における表示器２,レーザー出力回路４,ＲＯＭ７,ＲＡＭ８,レーザー状態フラグ９,レーザー制御カウンタ１０およびカウンタ初期値ワーク１１と同一であり、詳細な説明は省略する。
【００８７】
本実施の形態におけるレーザー照射キー４５はキーボード４３とは独立して設けられており、レーザー出力回路４４に接続されている。また、レーザー出力回路４４におけるレーザー出射口前方には、電動シャッター４６が設けてある。この電動シャッター４６は、レーザー光を遮るシャッターおよびシャッターを開閉するための電動モータおよびモータ駆動回路を内蔵している。こうして、レーザー照射キー４５およびレーザー出力回路４４をＣＰＵ４７とは電気的に完全に独立して設けることによって、ＣＰＵ４７を介さずにレーザー出力回路４４を制御するようになっている。
【００８８】
上記ＣＰＵ４７は、操作されたキーの読み込み処理,表示器４２の制御処理,タイマー設定・実行処理等の制御を行うが、レーザー出力回路４４の制御処理は行なわないようになっている。すなわち、ＣＰＵ４７は、上記第２実施の形態の場合と同様に、図２に相当するレーザー照射処理動作は行わない。そして、レーザー状態フラグ５０の内容を監視し、「１」になると電動シャッター４６の上記モータ駆動回路にシャッター開信号を出力して上記シャッターを開かせる一方、「０」になるとシャッター閉信号を出力して上記シャッターを閉鎖させるのである。
【００８９】
結果的に、上記レーザー状態フラグ５０の内容が「１」で電動シャッター４６が開かれ、且つ、レーザー照射キー４５から押下信号が出力された場合に、電動シャッター４６からレーザー光が出射されるのである。
【００９０】
尚、上記ＣＰＵ４７は、図３〜図６に相当するレーザー状態フラグ設定処理動作、図７に相当する電源オン処理動作、図８に相当するリセット処理動作、図９に相当するカウンタ初期値設定モード移行処理動作、および、図１０に相当するカウンタ初期値設定処理動作は、上記第１実施の形態の場合と同様に実行するようになっている。
【００９１】
以上のごとく、本実施の形態においては、上記レーザー照射キー４５とレーザー出力回路４４とを、キーボード４３およびＣＰＵ４７とは電気的に完全に独立して設け、ＣＰＵ４７によって開閉が制御される電動シャッター４６をレーザー出射口前方に設けている。そして、ＣＰＵ４７は、レーザー状態フラグ５０の内容が「１」になると電動シャッター４６を開くようにしている。すなわち、ＣＰＵ４７によって電動シャッター４６が開かれ、且つ、レーザー照射キー４５から押下信号が出力された場合にのみ、レーザー光が出射されるのである。
【００９２】
したがって、レーザー照射機能制御手段と他機能制御手段とが電気的に完全に独立して設けられているレーザーポインタ付機器の場合でも、レーザー照射機能(レーザーポインタ機能)以外の機能の操作状態に基づいて、レーザー照射動作を制御することができる。その結果、使用者が、レーザーの照射を必要とはしない操作を行っている際に、誤ってレーザー照射キー４５を押下してしまってもレーザーが出射されることはない。
【００９３】
また、動作を伴わない無意味なキーがレーザー制御カウンタ５１に格納されている回数だけ押下された場合には、悪戯である可能性が高いと判断して、レーザー状態フラグ５０に「０」を格納するようにしている。したがって、子供等のいたずらの最中に、偶然レーザー照射キー４５が押下されてしまった場合のレーザー出射を防止することができるのである。
【００９４】
【発明の効果】
以上より明らかなように、この発明におけるレーザーポインタ付き機器の安全機構は、レーザーポインタ機能以外の機能であって且つレーザー照射の必要がない機能を実行させるための操作が行われると、レーザー照射制御手段によってレーザー照射手段の動作を停止させるので、操作者が、例えばレーザー照射の必要がないタイマー設定機能を実行させるためにタイマー設定キーを操作した後に、誤ってレーザー照射キーを押下した場合でも、上記レーザー照射手段が動作してレーザー光が照射されることを防止することができる。
【００９５】
また、この発明のレーザーポインタ付き機器の安全機構は、レーザー光の照射を許可する状態であるか否かを表す状態情報を記憶手段に記憶し、上記記憶手段にレーザーの照射を許可する状態であることを表す状態情報が記憶されている場合には、レーザー照射キーの押下があるとレーザー照射手段からのレーザー光を出射するので、上記記憶手段に、
・タイマー設定等のレーザー照射の必要がない機能を実行するための操作キーが操作された場合
・現在実行している機能がタイマー設定モード等のレーザー光を照射しないモードに入った場合
・現在実行している機能とは全く関係のない無意味な操作キーが所定回数操作された場合
に、レーザーの照射を許可しない状態であることを表す状態情報を記憶すれば、レーザー照射の必要がない機能が実行された場合や、レーザー光を照射しないモードに入った場合や、無意味な操作キーが所定回数操作された場合に、レーザー照射キーの押下によるレーザー光の出射を防止することができる。
【００９６】
したがって、例えばタイマー設定を実行している際における操作者による上記レーザー照射キーの誤操作や、子供等の悪戯による上記レーザー照射キーの操作によるレーザー光の出射を未然に防ぐことができるのである。
【図面の簡単な説明】
【図１】  この発明の安全機構が搭載されたレーザーポインタ付機器の一例としての電子機器のブロック図である。
【図２】  図１におけるＣＰＵによって実行されるレーザー照射処理動作のフローチャートである。
【図３】  第１レーザー状態フラグ設定処理動作のフローチャートである。
【図４】  第２レーザー状態フラグ設定処理動作のフローチャートである。
【図５】  第３レーザー状態フラグ設定処理動作のフローチャートである。
【図６】  第４レーザー状態フラグ設定処理動作のフローチャートである。
【図７】  電源オン処理動作のフローチャートである。
【図８】  リセット処理動作のフローチャートである。
【図９】  カウンタ初期値設定モード移行処理動作用のフローチャートである。
【図１０】  カウンタ初期値設定処理動作のフローチャートである。
【図１１】  図１とは異なる電子機器のブロック図である。
【図１２】  図１および図１１とは異なる電子機器のブロック図である。
【符号の説明】
１,２１,４１…電子機器、
２,２２,４２…表示器、
３,２３,４３…キーボード、
４,２４,４４…レーザー出力回路、
５,２５,４５…レーザー照射キー、
６,２７,４７…ＣＰＵ、
７,２８,４８…ＲＯＭ、
８,２９,４９…ＲＡＭ、
９,３０,５０…レーザー状態フラグ、
１０,３１,５１…レーザー制御カウンタ、
１１,３２,５２…カウンタ初期値ワーク、
２６…ＡＮＤ回路、
４６…電動シャッター。